(57)【特許請求の範囲】
【請求項１】
縦壁からなる取付基部に後端が垂直回転自在に連結され、前傾姿勢で床面上に収納可能な手摺体と、
一端非拘束状態で手摺体に折り畳み可能に連結され、床面上での起立姿勢において手摺体をほぼ水平な使用姿勢に保持可能な支持脚と、
支持脚の折り畳み動作を規制し、該支持脚の起立姿勢を維持する拘束部とを有する手摺装置。
【請求項２】
前記支持脚は、手摺体の長手方向中間部において該手摺体に連結され、
収納姿勢において、非拘束端が手摺体の前端配置方向である前方に位置し、かつ、該非拘束端が平面視において手摺体前端より該手摺体の後端配置方向である後方に位置する請求項１記載の手摺装置。
【請求項３】
前記支持脚と手摺体とは、支持脚の長手方向に移動自在にピン連結されるとともに、
支持脚と手摺体のいずれか一方には、支持脚の移動動作に伴って支持脚と手摺体のいずれか他方に係脱し、係合状態において支持脚の回転を禁止する回り止め部が設けられ、
かつ、回り止め部は、支持脚のピン周りの自重による垂下姿勢において係合可能となる請求項１または２記載の手摺装置。
【請求項４】
縦壁からなる取付基部に後端が回転支持ブラケットにより垂直回転自在に連結され、前傾姿勢で床面上に収納可能な手摺体と、
一端非拘束状態で手摺体の下方に折り畳み可能に連結され、床面上での起立姿勢において手摺体をほぼ水平な使用姿勢に保持可能な支持脚と、
前記手摺体に固定され、支持脚の折り畳み動作を規制し、該支持脚の起立姿勢を維持する拘束部とを有する手摺装置であって、
前記拘束部は、支持脚の移動動作に伴って支持脚に係脱し、係合状態において支持脚の回転を禁止する回り止め部を有する連結具と、該連結具に設けられ、支持脚の上端を挟み付ける２枚の脚片に穿孔される長孔を介して支持脚の上端を連結する連結ピンと、該脚片の下端において手摺体の後端配置方向である後方辺縁間に架設される抑制片とを有する手摺装置。
【発明の詳細な説明】
【０００１】
【発明の属する技術分野】
本発明は手摺装置に関するものである。
【０００２】
【従来の技術】
不使用時に手摺体を所定位置に退避可能な手摺装置としては、例えば、特開平９-１５８４３５号、あるいは実開平２-１３９６００号公報記載のものが知られている。
【０００３】
前者は、不使用時には、手摺体が上方に回転されて壁面に沿って収納されるが、このように上方への回転により不使用の手摺体を収納するものにあっては、身障者等が自力で使用姿勢まで復帰させるには、手を上方に伸ばして手摺体を使用姿勢まで引き下ろすことが必要となるために、使い勝手が悪く、さらに、手摺体の使用姿勢への移動は、上方から下方に落下するようにして行われるために、利用者に恐怖感を与えるという問題がある。
【０００４】
一方、後者は、不使用時に手摺体を下方に回転させた後、キャビネット内に収容可能に形成されるものであり、手摺体が上方から落下する移動工程を含まないために、利用者に恐怖心を与えないという利点は有するものの、使用後の手摺体の収容操作、あるいは収容状態からの手摺体の引き出し操作が極めて困難で、使い勝手の点においては未だ問題を有している。
【０００５】
また、この従来例において、手摺体の使用姿勢での維持は、該手摺体に連結された支柱の先端を床面の穴に嵌合させて行われるために、床面への穴の形成が必要となり、施工の手間がかかるという問題もある。
【０００６】
【発明が解決しようとする課題】
本発明は、以上の欠点を解消すべくなされたものであって、使い勝手が良好で、かつ、施工も簡単な手摺装置の提供を目的とする。
【０００７】
【課題を解決するための手段】
本発明によれば上記目的は、
縦壁からなる取付基部１に後端が垂直回転自在に連結され、前傾姿勢で床面３上に収納可能な手摺体２と、
一端非拘束状態で手摺体２に折り畳み可能に連結され、床面３上での起立姿勢において手摺体２をほぼ水平な使用姿勢に保持可能な支持脚４と、
支持脚４の折り畳み動作を規制し、該支持脚４の起立姿勢を維持する拘束部５とを有する手摺装置を提供することにより達成される。
【０００８】
後端が取付基部１に連結される手摺体２は、支持脚４によって支承することにより、ほぼ水平な使用姿勢に維持することが可能であり、支持脚４を手摺体２に対して折り畳むことで支承状態を解除できる。支承状態の解除により、手摺体２は自重で下方に回転し、収納姿勢に移行する。所望によりダンパ装置等の適宜の緩衝装置を付加し、手摺体２の収納姿勢への移行に際する落下速度を低減することも可能である。
【０００９】
この種の手摺装置の手摺体２は、使用姿勢において体側に配置され、さらに、本発明における手摺体２は、当該使用位置から収納姿勢への移行が下方へ回転させることによって行われるために、頭上からの落下動作がなく、利用者に恐怖感を与えることもなく、さらに、誤操作による事故も確実に防止できる。
【００１０】
また、収納姿勢において手摺体２は前傾姿勢をしているために、再び使用するには、この手摺体２を引き上げて拘束部５をセットすればよいために、使い勝手が良好になる。
【００１１】
さらに、支持脚４による手摺体２の使用姿勢への維持は、手摺装置に予め組み込まれた拘束部５により支持脚４の折り畳み動作を規制し、支持脚４と手摺体２とを回転方向に剛に連結することにより行われるために、例えば、床面３等に対する支持脚４の拘束手段の形成作業が不要となり、設置作業が簡単になる。
【００１２】
支持脚４は、手摺体２に対して折り畳み可能で、かつ、起立姿勢において手摺体２を使用姿勢に維持可能であれば、必ずしも直接相互に連結されている必要はなく、例えば図７に示すように、適宜の中継部材を介して接続することもでき、拘束部５も図７（ａ）において矢印で示すように、使用姿勢にある手摺体２に下方荷重Ｗが負荷された際に、手摺体２と支持脚４とが相対変位することなく一体となれば、その構造、配置位置等は適宜決定できる。
【００１３】
手摺体２と支持脚４とを直接連結し、手摺装置を節のリンク体として構成することは、全体の構造を簡単にするために有効であり、この場合、支持脚４を手摺体２の長手方向中間部において連結するとともに、支持脚４の折り畳み方向を非拘束端４ａが手摺体２の前端配置方向である前方に位置するように規制し、かつ、支持脚４の長さを非拘束端４ａが平面視において手摺体前端より該手摺体２の後端配置方向である後方に位置するように設定すると、使用姿勢における手摺体２の下方のスペースを収納スペースとして利用できるために、収納効率が良好になる上に、支持脚４の先端（非拘束端４ａ）が手摺体２から飛び出すことがなく、邪魔にならない。
【００１４】
また、手摺装置は、
支持脚４と手摺体２とは、支持脚４の長手方向に移動自在にピン連結されるとともに、
支持脚４と手摺体２のいずれか一方には、支持脚４の移動動作に伴って支持脚４と手摺体２のいずれか他方に係脱し、係合状態において支持脚４の回転を禁止する回り止め部８が設けられ、
かつ、回り止め部８は、支持脚４のピン周りの自重による垂下姿勢において係合可能となるように構成することができる。
【００１５】
支持脚４は手摺体２にピン連結されることにより手摺体２に対して回転自在であり、手摺体２を使用姿勢より僅かに上方に回転させて非拘束端４ａを床面３から離すと、支持脚４は手摺体２との連結部を中心として自重により手摺体２から吊り下げられた垂下姿勢となることができる。
【００１６】
さらに、支持脚４は、例えばピン連結のための連結ピンを支持脚４、あるいは手摺体２に移動自在と装着することによって、該支持脚４の長手方向に所定長移動することができる。
【００１７】
支持脚４と手摺体２のいずれか一方には回り止め部８が設けられ、支持脚４の長手方向への移動に伴って支持脚４と手摺体２のいずれか他方に係脱する。この回り止め部８は、係合状態において支持脚４と手摺体２との相対回転を禁止することにより、該支持脚４と手摺体２とを実質的に剛接合し、手摺体２を使用姿勢に維持することができる。
【００１８】
回り止め部８は、手摺体２、支持脚４のいずれか一方に形成され、支持脚４が自重による垂下姿勢をとる場合に手摺体２、支持脚４のいずれか他方の被係合部に正対しており、その状態から支持脚４の非拘束端４ａを床面３に接地させて支持脚４の移動を規制すると、上記他方の被係合部に係合する。
【００１９】
使用に際し、まず、前傾姿勢（収納姿勢）をとる手摺体２を引き上げると、手摺体２は取付基部１に設けた回転中心周りに回転する。手摺体２の回転に伴って支持脚４は非拘束端４ａが床面３上を滑りながら手摺体２に追随し、手摺体２が使用位置を僅かに越えて上方まで回転したときに、支持脚４の非拘束端４ａは床面３から離れ、支持脚４は自重による垂下姿勢に移行する。この状態で上述したように、回り止め部８は支持脚４、あるいは手摺体２の被係合部に正対しており、この後、手摺体２を使用姿勢に戻すと、回り止め部８は自動的に係合状態に移行する。
【００２０】
また、使用後においても、一旦手摺体２を上方に僅かに回転させて回り止め部８の係合を解除し、次いで、支持脚４を僅かに折り畳み方向に回転させると、回り止め部８と被係合部との正対位置関係が崩れ、この後、手摺体２を下方に回転させると、回り止め部８が被係合部に係合することなく、支持脚４は折り畳み方向に回転し、収納姿勢に移行する。
【００２１】
このように、連結部に拘束部５を構成して支持脚４の自重による下方への移動、および自由垂下姿勢を利用して回り止め部８の係脱を制御すると、利用者が直接拘束部５を操作する必要がなくなるために、使い勝手が飛躍的に向上する。
【００２２】
回り止め部８の形状、他方への係合状態は、支持脚４、あるいは手摺体２の連結部の形状、相対位置等により適宜決定される。
【００２３】
【発明の実施の形態】
図１および図２にトイレ用補助手摺として構成された本発明の実施の形態を示す。この実施の形態において、手摺装置は、後方に配置される回転支持ブラケット１０を介して取付基部１に後端が回転自在に連結される手摺体２を有する。回転支持ブラケット１０は、固定プレート１０ａの中央部に回転軸１０ｂを立設して形成され、固定プレート１０ａにおいてトイレ室内に設置されるキャビネットの側壁１に固定される。
【００２４】
手摺体２は、所定の強度を得ることができるように鋼管により製せられ、直杆部２ａの先端を後端側に向けて適宜曲率で屈曲させた後、この屈曲折り返し部２ｂの端部を上記直杆部２ａに対して直交方向下方に屈曲して鉛直屈曲部２ｃを形成して構成される。直杆部２ａの後端部には軸挿通孔２ｄが設けられ、手摺体２は、軸挿通孔２ｄを貫通する回転軸１０ｂを介して回転支持ブラケット１０に垂直回転自在に連結される。回転軸１０ｂからの手摺体２の脱離を防止するために、回転軸１０ｂにはワッシャ１０ｃを介してナット１０ｄが締め付けられ、該ナット１０ｄの締め付け力を調整することによって、後述する使用姿勢から収納姿勢に手摺体２を回転移動させる際の適度の回転抵抗が付与される。
【００２５】
また、手摺体２の直杆部２ａと屈曲折り返し部２ｂとの境界部から、直杆部２ａ後端方向には、合成樹脂材により形成される肘受け部２ｅが取り付けられる。この肘受け部２ｅは、直杆部２ａの所定長に渡って該直杆部２ａの上部を覆うように取り付けられ、その側壁部には、握り凹部２ｆ、２ｆ、・・が設けられる。
【００２６】
上記手摺体２の鉛直屈曲部２ｃには、拘束部５を介して支持脚４が連結される。拘束部５は、鉛直屈曲部２ｃの下端に固定される連結具５ａと、この連結具５ａに設けられ、支持脚４の上端を挟み付ける２枚の脚片５ａａ、５ａａに支持脚４の上端を連結する連結ピン５ｂとを有する。連結ピン５ｂは、上記連結具５ａの脚片５ａａに設けられた上下、すなわち、鉛直屈曲部２ｃの延長方向に長い長孔６を挿通して支持脚４に固定され、該支持脚４を手摺体２に対して上下移動、かつ、回転自在に連結する。
【００２７】
支持脚４と手摺体２のそれぞれの回転面を同一平面上にするために、すなわち支持脚４の回転面を手摺体２により形成される平面に沿わせるために、連結ピン５ｂは、中心軸５ｂａが上記平面に直交する姿勢で打ち込まれ、かつ、脚片５ａａは、上記平面に沿って配置される。また、連結具５ａの上端部には、脚片５ａａ、５ａａの上端間に架設されるストッパ片８ａ、８ａ（回り止め部８）が設けられて支持脚４の上端を覆った状態での支持脚４の回転を禁止する。さらに、連結具５ａの下端部には、手摺体２の後端配置方向である脚片５ａａ、５ａａの後方辺縁間に架設される第２ストッパ片（抑制片）１３が設けられ、ストッパ片８ａ、８ａによる被冠状態が解除されて回転可能となった支持脚４の回転方向を図５における反時計回りに限定する。この第２ストッパ片１３には、手摺体２操作時における支持脚４の初期姿勢を規制するための磁石、あるいは面ファスナ等からなる吸着部１４が設けられる。
【００２８】
支持脚４は、鉛直起立姿勢において上記鉛直屈曲部２ｃとほぼ同一直線上に位置した際に意匠的な一体感を得ることができるように、手摺体２とほぼ同一の直径を有する鋼管により形成される。図２（ｂ）に示すように、この支持脚４の下端にはフランジ１２が設けられ、このフランジ１２には、ポリプロピレン樹脂等により形成されるカバー９が装着されて床面３の支持脚４による被傷が防止される。
【００２９】
フランジ１２は、支持脚４が鉛直姿勢を取る際に床面３に面接触する向きに張り出されており、さらに、平面視形状は、後述するように、折り畳み姿勢を取った際に床面３と線接触、あるいは緩やかな曲線の頂部で点接触するように、後方縁がほぼ直線状となる多角形（本実施の形態においては図６（ａ）に示すように三角形）に形成される。
【００３０】
したがってこの実施の形態において、図１（ａ）および図４（ａ）に示す使用姿勢において、手摺体２の直杆部２ａは水平姿勢となり、便座１１に腰掛けた利用者に手掛け、あるいは肘掛けを提供する。使用姿勢において、支持脚４の上端部は脚片５ａａ、およびストッパ片８ａにより外嵌されて手摺体２に対する相対回転が禁止されているために、鉛直起立姿勢を維持することができ、手摺体２に荷重が加えられても手摺体２が回転することがない。
【００３１】
この状態から手摺体２をやや上方に回転させると、吸着部１４として形成される第２ストッパ片１３を介して手摺体２に吸着している支持脚４は、吸着部１４における吸着力が弱く設定されているために、支持脚４は自重により落下する。支持脚４の落下に伴って連結ピン５ｂは長孔６の下端に達すると、支持脚４は手摺体２から吊下した状態（図５参照）となる。吊下状態において、支持脚４の上端への脚片５ａａ、およびストッパ片８ａによる外嵌状態は解除され、この後、支持脚４の下端を押し出すと吸着部１４は支持脚４から離れ、支持脚４を反時計回りにやや回転させ、手摺体２への支えを解除すると、手摺体２は回転支持ブラケット１０における摺動抵抗に抗しながら自重によりゆっくりと下方に回転を開始する。
【００３２】
手摺体２の回転に伴う連結ピン５ｂの斜め下、後方への移動に伴って、支持脚４は、まず、起立状態から後方に傾倒した後、倒伏姿勢に移動する。倒伏姿勢への移行に際し、支持脚４のフランジ１２は、後方端縁１５を床面３に摺接させながら該床面３上を引きずられるが、上述したように、フランジ１２の後方端縁１５が直線、あるいは曲率の大きな曲面により形成され、かつ、表面がカバー９により覆われているために、床面３に傷を付けることがない。
【００３３】
図１（ｂ）および図３に示すように、倒伏した支持脚４上に直杆部２ａが積層された状態が手摺体２の収納姿勢に対応し、当該収納姿勢において手摺体２は、便座１１よりやや高い位置から前下がりの姿勢を取る。支持脚４の下端近傍には、図３（ｃ）に示すように、合成樹脂材等により形成されるバンパ１６が固定され、収納姿勢における支持脚４との衝接による被傷が防止される。この収納姿勢において、手摺体２の直杆部２ａは前傾して側面視において便座１１とほとんど重合しない位置まで退避するために、再度の使用に際して便座１１に腰掛ける際の邪魔になることがない。また、倒伏姿勢における支持脚４の非拘束端４ａは、平面視において手摺体２の先端より後方に位置し、かつ、起立姿勢に比して後方に移動するために、便座１１の側方の床面３上には、前方に向かう広い空間が確保されるために、介護者等の足の踏み場等が広くなり、介護しやすくなる。
【００３４】
収納姿勢にある手摺体２の使用姿勢への復帰は、直杆部２ａを上方に回転させることにより行われる。上述したように、収納姿勢において直杆部２ａは利用者が便座１１に腰掛けることができる位置まで前傾しており、かつ、当該収納姿勢において直杆部２ａは腰掛け姿勢において無理なく手の届く位置にあるために、利用者は一旦便座１１に腰掛けた後、腰掛け姿勢で手摺体２を上方に簡単に回転操作することができる。また、収納姿勢にある手摺体２は、支持脚４に支承されて下方への移動が禁止されているために、便座１１への腰掛け動作の際の手掛けとして利用できる。
【００３５】
手摺体２の上方への回転により、支持脚４は上述した起立姿勢から倒伏姿勢への移行手順と逆手順により起立を開始し、手摺体２の直杆部２ａが使用位置からやや上方まで回転した位置において、自重による垂下姿勢となる。この状態で回り止め部８は支持脚４の上端に正対しており、これから手摺体２を使用位置まで下方に向けて回転させると、回り止め部８が支持脚４の上端に係止し、以後、支持脚４は起立姿勢を、手摺体２は使用位置に保持される。
【００３６】
なお、以上においては、回転支持ブラケット１０をキャビネットの側壁１に装着する場合（図６（ｂ）参照）を示したが、トイレ室内の背面側壁面に垂直回転自在に取り付ける場合には、図６（ｃ）に示すように、チャンネル部材１８を該壁面１に固定し、回転軸１０ｂを立設して手摺体２の一端を回動自在に連結すればよい。
【００３７】
【発明の効果】
以上の説明から明らかなように、本発明によれば、要介護者自身の操作における使い勝手を良好にでき、かつ、トイレ室内への施工も簡単にすることができる。
【図面の簡単な説明】
【図１】本発明の手摺装置をトイレ室内に設置した状態を示す斜視図で、（ａ）は使用状態であり、（ｂ）は収納状態である。
【図２】本発明を示す斜視図で、（ａ）は、拘束部近傍を破断した分解図、（ｂ）は（ａ）の支持脚の非拘束端の部分拡大図で、カバーの一部を破断したものである。
【図３】本発明を示す図で、（ａ）は収納状態において拘束部近傍のみを破断した側面図、（ｂ）は（ａ）の拘束部の部分拡大断面図、（ｃ）は（ａ）のバンパの部分拡大側面図で、支持脚の一部を破断したものである。
【図４】本発明を示す図で、（ａ）は使用状態において拘束部近傍を破断した側面図、（ｂ）は（ａ）の拘束部の部分拡大断面図である。
【図５】本発明を示す図で、（ａ）は垂下姿勢において拘束部近傍を破断した正面図、（ｂ）は（ａ）の拘束部の部分拡大断面図である。
【図６】本発明の部分拡大図で、（ａ）は倒伏姿勢における支持脚の非拘束端のみを前方から見た正面図、（ｂ）は図４（ａ）における回転支持ブラケット近傍を示す斜視図、（ｃ）は本発明の変形例におけるチャンネル部材近傍を示す斜視図である。
【図７】本発明の他の課題解決手段を示す側面略図で、（ａ）は使用状態、（ｂ）は収納状態である。
【符号の説明】
１      取付基部
２      手摺体
３      床面
４      支持脚
４ａ    非拘束端
５      拘束部
５ａ    連結具
５ａａ  脚片
５ｂ    連結ピン
６      長孔
８      回り止め部
１０      回転支持ブラケット
１３      抑制片
【図１】
0003739041.tif 000002
【図２】
0003739041.tif 000003
【図３】
0003739041.tif 000004
【図４】
0003739041.tif 000005
【図５】
0003739041.tif 000006
【図６】
0003739041.tif 000007
【図７】
0003739041.tif 000008